(57)【要約】【課題】電気光学パネルへの配線の取り回しの複雑化を抑えつつ、当該電気光学パネルに形成可能な端子の数を増加させるための技術を提供する。【解決手段】電気光学装置１は、電気光学パネルとしての液晶パネル１０と、液晶パネル１０に形成され、Ｘ方向に配列した複数の端子１２１を含む第１端子群１２０と、液晶パネル１０において、第１端子群１２０からＹ方向に離れた位置に形成され、Ｘ方向に配列した複数の端子１３１を含む第２端子群１３０であって、第１端子群１２０とは異なる端子の配列ピッチとした第２端子群１３０とを備える。【選択図】図４
2017120299.tif 000002
【特許請求の範囲】
【請求項１】
電気光学パネルと、
前記電気光学パネルに形成され、第１方向に配列した複数の端子を含む第１端子群と、
前記電気光学パネルにおいて、前記第１端子群から前記第１方向と異なる第２方向に離れた位置に形成され、前記第１方向に配列した複数の端子を含む第２端子群であって、前記第１端子群とは異なる端子の配列ピッチとした第２端子群と
を備える電気光学装置。
【請求項２】
前記第１端子群、及び前記第２端子群に含まれる少なくともいずれかの端子に信号を供給する集積回路を有する配線基板が、前記電気光学パネルに貼り付けられている
ことを特徴とする請求項１に記載の電気光学装置。
【請求項３】
前記配線基板は、前記第１端子群に対応する部分と前記第２端子群に対応する部分の間の領域に切り欠き部が形成されている
ことを特徴とする請求項２に記載の電気光学装置。
【請求項４】
前記第１端子群、及び前記第２端子群のうち、少なくとも最小の配列ピッチを含む一方の端子群に対応して、前記配線基板を位置決めするためのアライメントマークが形成されている
ことを特徴とする請求項２又は請求項３に記載の電気光学装置。
【請求項５】
前記第１端子群、及び前記第２端子群に含まれる少なくともいずれかの端子と電気的に接続される配線を有する配線基板が、前記電気光学パネルに貼り付けられている
ことを特徴とする請求項１に記載の電気光学装置。
【請求項６】
前記配線基板は、前記第１端子群に対応する部分と前記第２端子群に対応する部分の間の領域に切り欠き部が形成されている
ことを特徴とする請求項５に記載の電気光学装置。
【請求項７】
前記第１端子群、及び前記第２端子群のうち、少なくとも最小の配列ピッチを含む一方の端子群に対応して、前記配線基板を位置決めするためのアライメントマークが形成されている
ことを特徴とする請求項５又は請求項６に記載の電気光学装置。
【請求項８】
前記第１端子群、及び前記第２端子群のうち、最小の配列ピッチを含まない一方の端子群に含まれるいずれかの端子が、前記電気光学パネルを検査するための信号が入力される検査端子として兼用される
ことを特徴とする請求項１から請求項７のいずれか１項に記載の電気光学装置。
【請求項９】
前記電気光学パネルは、複数の画素を含み、
前記第１端子群は、前記第２端子群よりも前記複数の画素に近くに設けられ、
前記第１端子群における最大の配列ピッチは、前記第２端子群における最小の配列ピッチよりも小さい
ことを特徴とする請求項１から請求項８のいずれか１項に記載の電気光学装置。
【請求項１０】
前記第１端子群は、前記複数の画素の各々に映像信号を供給するための信号が入力される端子を含む
ことを特徴とする請求項９に記載の電気光学装置。
【請求項１１】
請求項１から請求項１０のいずれか１項に記載の電気光学装置を備える電子機器。
【発明の詳細な説明】
【技術分野】
【０００１】
本発明は、電気光学パネルに形成可能な端子の数を増加させるための技術に関する。
【背景技術】
【０００２】
液晶パネル等の電気光学パネルでは、当該電気光学パネルの画素数の増加等に伴い、実装すべき端子の数の増加が著しい。端子数を増加させつつ電気光学装置の肥大化を抑えるための一手法として、端子の配列ピッチの縮小化がある。別の手法として、複数のＦＰＣ（Flexible Print Circuit）又は複数のＣＯＦ（Chip on Film）を電気光学パネルに貼り付けたり、表示領域の複数の辺に沿って端子を実装したりすることもある（例えば特許文献１〜３）。
【先行技術文献】
【特許文献】
【０００３】
【特許文献１】特開２０１０−９３０１４号公報
【特許文献２】特開２００４−１１８０８９号公報
【特許文献３】特開２０１０−２６６７８３号公報
【発明の概要】
【発明が解決しようとする課題】
【０００４】
しかし、複数のＦＰＣや複数のＣＯＦ等の配線基板を電気光学パネルに貼り付ける構成は、電気光学パネルへの実装工数を増加させ、また、複数のＦＰＣや複数のＣＯＦ等の配線基板が実装された電気光学パネルの取り回しを複雑化させる原因となることがある。表示領域の複数の辺に沿って端子を実装する構成は、電気光学パネル自体を大きくし、関係部材の構造を複雑化させるので製造コストが上昇する。
本発明は、上述した事情に鑑みてなされたもので、その目的の一つは、電気光学パネルへの配線の取り回しの複雑化を抑えつつ、当該電気光学パネルに形成可能な端子の数を増加させるための技術を提供することである。
【課題を解決するための手段】
【０００５】
上記目的を達成するために、本発明に係る電気光学装置は、電気光学パネルと、前記電気光学パネルに形成され、第１方向に配列した複数の端子を含む第１端子群と、前記電気光学パネルにおいて、前記第１端子群から前記第１方向と異なる第２方向に離れた位置に形成され、前記第１方向に配列した複数の端子を含む第２端子群であって、前記第１端子群とは異なる端子の配列ピッチとした第２端子群とを備える。
【０００６】
この発明の電気光学パネルは、第１端子群と第２端子群を備え、第１端子群に含まれる複数の端子と、第２端子群に含まれる複数の端子がともに第１方向に配列し、且つ端子群同士が第２方向において離れた位置にある。更に、第１端子群と第２端子群とでは、少なくとも一部の端子の配列ピッチが異なるので、配列ピッチが小さい一方の端子群に対する配線基板の位置決めを優先して行うことで、当該配線基板を電気光学パネルに貼り付ける際のアライメント作業を行いやすくなる。これは要求精度の高い端子群に合わせてアライメント作業を行えば、要求精度の低い端子群に対しても同時にアライメントできるという原理によるものである。その結果複数の端子群に対して単一のＦＰＣもしくはＣＯＦを貼りつけることができる。よって、電気光学パネルへの配線の取り回しの複雑化が抑えられ、また、電気光学パネルに形成可能な端子の数も増加する。
【０００７】
本発明において、前記第１端子群、及び前記第２端子群に含まれる少なくともいずれか
の端子に信号を供給する集積回路を有する配線基板が、前記電気光学パネルに貼り付けられてもよい。
この発明によれば、電気光学パネルに配線基板（ＣＯＦ）が貼り付けられる構成において、配線の取り回しの複雑化を抑えつつ、当該配線基板が有する集積回路と電気的に接続することが可能な端子の数を増加させることができる。
【０００８】
本発明において、前記配線基板は、前記第１端子群に対応する部分と前記第２端子群に対応する部分の間の領域に切り欠き部が形成されてもよい。
この発明によれば、配線基板に形成された切り欠き部の位置を参照しながら、配線基板の位置決めを行うことが可能になるので、配線基板を電気光学パネルに貼り付ける際のアライメント作業を行いやすくすることができる。詳細は後述するが、配線基板（ＣＯＦ）の検査用の接触部を当該切り欠き部に配置すれば、意図しない短絡を防止し、ＣＯＦの素材テープの利用効率が上がりＣＯＦ製造コストを抑制できる。
【０００９】
本発明において、前記第１端子群、及び前記第２端子群のうち、少なくとも最小の配列ピッチを含む一方の端子群に対応して、前記配線基板を位置決めするためのアライメントマークが形成されてもよい。
この発明によれば、最小の配列ピッチを含む端子群に対する配線基板（ＣＯＦ）の位置決めを優先して行うように、アライメントマークが形成されているので、ＣＯＦを電気光学パネルに貼り付ける際のアライメント作業を行いやすくすることができる。その結果複数の端子群に対してＣＯＦを貼りつけることができる。
【００１０】
本発明において、前記第１端子群、及び前記第２端子群に含まれる少なくともいずれかの端子と電気的に接続される配線を有する配線基板が、前記電気光学パネルに貼り付けられてもよい。
この発明によれば、電気光学パネルに配線基板（ＦＰＣ）が貼り付けられる構成において、配線の取り回しの複雑化を抑えつつ、当該ＦＰＣが有する配線と電気的に接続することが可能な端子の数を増加させることができる。
【００１１】
本発明において、前記配線基板は、前記第１端子群に対応する部分と前記第２端子群に対応する部分の間の領域に切り欠き部が形成されてもよい。
この発明によれば、配線基板（ＦＰＣ）に形成された切り欠き部の位置を参照しながら、ＦＰＣの位置決めを行うことが可能になるので、ＦＰＣを電気光学パネルに貼り付ける際のアライメント作業を行いやすくすることができる。詳細は後述するが、ＦＰＣの検査用の接触部を当該切り欠き部に配置すれば、意図しない短絡を防止し、ＦＰＣの素材テープの利用効率が上がりＦＰＣ製造コストを抑制できる。
【００１２】
本発明において、前記第１端子群、及び前記第２端子群のうち、少なくとも最小の配列ピッチを含む一方の端子群に対応して、前記配線基板を位置決めするためのアライメントマークが形成されてもよい。
この発明によれば、最小の配列ピッチを含む端子群に対する配線基板（ＦＰＣ）の位置決めを優先して行うように、アライメントマークが形成されているので、ＦＰＣを電気光学パネルに貼り付ける際のアライメント作業を行いやすくすることができる。その結果複数の端子群に対して単一のＦＰＣを貼りつけることができる。
【００１３】
本発明において、前記第１端子群、及び前記第２端子群のうち、最小の配列ピッチを含まない一方の端子群に含まれるいずれかの端子が、前記電気光学パネルを検査するための信号が入力される検査端子として兼用されてもよい。
この発明によれば、電気光学パネルを検査するための信号が入力される端子を、当該電気光学パネルを駆動するための信号が入力される端子とは別に設けなくてもよい。
【００１４】
本発明において、前記電気光学パネルは、複数の画素を含み、前記第１端子群は、前記第２端子群よりも前記複数の画素に近くに設けられ、前記第１端子群における最大の配列ピッチは、前記第２端子群における最小の配列ピッチよりも小さくてもよい。
この発明によれば、第１端子群及び第２端子群のうち、対向基板などの干渉物を避けるためアライメント作業の要求精度の高い最小の配列ピッチを含む一方の端子群が、他方の端子群よりも、電気光学パネルが備える複数の画素の近くに位置するので、配線の取り回しの複雑化を抑えつつ、画素を駆動するための信号が入力される端子の数を増加させることができる。
【００１５】
本発明において、前記第１端子群は、前記複数の画素の各々に映像信号を供給するための信号が入力される端子を含んでもよい。
この発明によれば、配線の取り回しの複雑化を抑えつつ、電気光学パネルが備える複数の画素に映像信号を供給するための端子の数を増加させることができる。
【００１６】
本発明は、電気光学装置のほか、電子機器としても観念することが可能である。
【図面の簡単な説明】
【００１７】
【図１】本発明の一実施形態に係る電気光学装置の構成を示す斜視図。
【図２】同実施形態に係る電気光学装置の電気的な構成を示すブロック図。
【図３】同実施形態に係る液晶パネルにおける等価回路を示す図。
【図４】同実施形態に係るＣＯＦが貼り付けられていない状態の液晶パネルを端子が形成されている面を平面視した図。
【図５】同実施形態に係るＣＯＦが貼り付けられた状態の液晶パネルを端子が形成されている面を平面視した図（図１のＶ方向視図）。
【図６】同実施形態に係る液晶パネルにおける端子の配置を説明する図。
【図７】本発明の一変形例に係るＣＯＦが貼り付けられた状態の液晶パネルを端子が形成されている面を平面視した図。
【図８】本発明の電気光学装置を適用したプロジェクターを示す図。
【発明を実施するための形態】
【００１８】
以下、本発明の実施の形態について図面を参照しつつ説明する。以下の説明で参照する各図において、各部材、各領域等を認識可能な大きさとするために、実際とは縮尺を異ならせている場合がある。
【００１９】
図１は、本発明の一実施形態に係る電気光学装置１の構成を示す斜視図である。
電気光学装置１は、本実施形態では液晶装置である。電気光学装置１は、液晶パネル１０を備えている。液晶パネル１０は、電気光学動作を行う電気光学パネルの一例で、本実施形態では透過型の液晶パネルである。電気光学動作は、液晶パネル１０の画素領域２００に画像を表示する表示動作を含む。
【００２０】
電気光学装置１は、配線基板（ＣＯＦ）３０と、ケース１００とを備えている。液晶パネル１０は、表示部で開口する枠状のケース１００に収納されるとともに、配線基板３０の一端が貼り付けられている。
配線基板３０は、ＦＰＣ３１と、ＦＰＣ３１上に設けられた集積回路３２とを備える。ＦＰＣ３１は、ポリイミド等の絶縁性を有する基材と、基材上においてパターニング形成された配線（後述する、図５の配線３１１）を有する。集積回路３２は、液晶パネル１０を駆動するための制御を行う制御回路として機能する。集積回路３２は、ＣＯＦ技術によってＦＰＣ３１に実装され、図示せぬ上位回路と電気的に接続される。
【００２１】
図２は、電気光学装置１の電気的な構成を示すブロック図である。
集積回路３２には、上位回路から、画像データＶｉｄｅｏが同期信号Ｓｙｎと同期して供給される。画像データＶｉｄｅｏは、液晶パネル１０の各画素２５０が表示すべき階調を規定する、例えば８ビットのデジタルデータである。同期信号Ｓｙｎは、垂直同期信号、水平同期信号、及びドットクロック信号を含む。集積回路３２は、同期信号Ｓｙｎに基づいて、液晶パネル１０を制御するための信号である制御信号ＣｔｒＸ，ＣｔｒＹを生成し、これを液晶パネル１０に供給する。また、集積回路３２は、画像データＶｉｄｅｏに基づいてアナログの映像信号Ｖｉｄを生成し、これを液晶パネル１０に供給する。映像信号Ｖｉｄは、画像データＶｉｄｅｏで指定された階調を表示するように、画素２５０に対応する液晶素子（後述する液晶素子２５４）の透過率を規定する電位を示す信号である。
【００２２】
画素領域２００においては、複数の画素２５０が配列する。具体的には、画素領域２００において、ｍ行の走査線２３０が図においてＸ方向に延在して設けられ、また、ｎ列のデータ線２４０が図においてＸ方向に直交するＹ方向に延在し、且つ各走査線２３０と互いに電気的な絶縁を保って設けられている。Ｘ方向は、本発明の第１方向の一例である。Ｙ方向は、本発明の第２方向の一例である。そして、ｍ行の走査線２３０とｎ列のデータ線２４０との各交差に対応して画素２５０が設けられている。即ち、画素２５０は、縦ｍ行×横ｎ列でマトリクス状に配列する。なお、ｍ，ｎは、いずれも自然数である。
【００２３】
液晶パネル１０は、更に、走査線駆動回路２１０及びデータ線駆動回路２２０を備える。
走査線駆動回路２１０は、集積回路３２により供給される制御信号ＣｔｒＹに基づいて、１フレームの期間において、第１行〜第ｍ行の走査線２３０を１本ずつ所定の順番で選択し、選択した第１行〜第ｍ行の走査線２３０に対して、走査信号Ｇ１〜Ｇｍをそれぞれ出力する。ここにおいて、１フレームの期間とは、電気光学装置１が１コマ分の画像を表示するのに要する期間をいう。
【００２４】
データ線駆動回路２２０は、集積回路３２により供給される映像信号Ｖｉｄ及び制御信号ＣｔｒＸに基づいて、各画素２５０が表示すべき階調を規定する映像信号（データ信号）Ｖｄ１〜Ｖｄｎを生成して、ｎ列のデータ線２４０のそれぞれに対して出力する。
なお、本実施形態では、集積回路３２が出力する映像信号Ｖｉｄはアナログの信号であるが、デジタルの信号であってもよい。この場合、データ線駆動回路２２０において、デジタルの映像信号をＤ／Ａ変換することで、アナログの映像信号Ｖｄ１〜Ｖｄｎを生成する。
【００２５】
図３は、液晶パネル１０における等価回路を示す図である。
図３に示すように、画素２５０は、画素電極２５１とコモン電極２５２とで液晶２５３を挟持した構成の液晶素子２５４を備える。画素２５０では、画素電極２５１と、コモン電極２５２とによって生じる電界に応じて、液晶２５３の分子配向状態が変化する。このため、液晶素子２５４は、透過型であれば、印加・保持電圧に応じた透過率となる。また、液晶パネル１０では、画素２５０毎に透過率が変化する。
図２では図示を省略したが、実際には図３に示すように、画素２５０の各々に対して、並列に補助容量（蓄積容量）２５５が設けられる。補助容量２５５は、一端が画素電極２５１に接続され、他端が容量線２５６に共通接続されている。容量線２５６は時間的に一定の電圧に保たれている。
【００２６】
ここで、走査線２３０が選択されて走査信号が供給されると、その走査線２３０にゲート電極が接続されたＴＦＴ（Thin Film Transistor）２５７がオンとなり、画素電極２５１がデータ線２４０と電気的に接続される。このときにデータ線２４０に映像信号Ｖｄ１〜Ｖｄｎが供給されると、その映像信号が、オンしたＴＦＴ２５７を介して画素電極２５
１に印加される。走査線２３０が選択されていないときはＴＦＴ２５７はオフするが、画素電極２５１に印加された電圧は、画素２５０の容量によって保持されるとともに、画素２５０に並列接続された補助容量２５５において保持される。
なお、本実施形態においては、液晶２５３をＶＡ（Vertical Alignment）方式とし、画素２５０の各々が、電圧無印加時において黒状態となるノーマリーブラックモードとする。
【００２７】
図４は、配線基板３０が貼り付けられていない状態の液晶パネル１０を端子が形成されている面を平面視した図（上面）である。図５は、配線基板３０が貼り付けられた状態の液晶パネル１０を端子が形成されている面を平面視した図（図１のＶ方向視図）である。図６は、液晶パネル１０における端子の配置を説明する図である。図５には示していないが、配線基板３０のＦＰＣ３１の背面（下面）には、第１端子群１２０及び第２端子群１３０に含まれる各端子の位置に対応して、ＦＰＣ３１の配線と電気的に接続するための接続領域が形成されている。また、図５にはＦＰＣ３１の配線３１１のうちの一部のみが示してあり、図４，５には液晶パネル１０の配線のうちの一部のみが示してある。
【００２８】
液晶パネル１０は、複数の画素（画素２５０）が形成された素子基板１１０Ａと、コモン電極（図示略）が設けられた対向基板１１０Ｂとが、一定の間隙を保って貼り合わせられ、この間隙に、例えばＶＡ型の液晶が封入された構成である。素子基板１１０Ａ及び対向基板１１０Ｂの各々は、ガラスや石英等の光透過性を有する素材で形成されている。
【００２９】
画素領域２００は、素子基板１１０Ａのうちの対向基板１１０Ｂとの対向面に形成される。素子基板１１０Ａのうちの対向基板１１０Ｂとの対向面には、素子基板１１０Ａ上の画素領域２００の周縁領域（以下、単に「周辺領域」と呼ぶことがある。）の一辺に沿って、走査線駆動回路２１０が設けられ、当該一辺に直交する他辺に沿って、データ線駆動回路２２０が設けられている。
【００３０】
素子基板１１０Ａ上の周縁領域の一辺、具体的にはデータ線駆動回路２２０と同じ辺には、第１端子群１２０及び第２端子群１３０が設けられている。
第１端子群１２０は、液晶パネル１０に形成され、Ｘ方向に配列する複数の端子１２１を含む。複数の端子１２１は、本実施形態では、同一形状、且つ同一寸法に形成され、端子が形成されている面の平面視で矩形である。また、複数の端子１２１は、本実施形態では、等ピッチで配列する。具体的には、第１端子群１２０における端子１２１の配列ピッチは、図６に示すように「Ｗ１」である。端子の配列ピッチは、本実施形態では、一の端子と、それに隣り合う端子とのＸ方向における中心点間の距離を示す端子ピッチによって特定される。複数の端子１２１には、各種制御信号（ＣｔｒＸ，ＣｔｒＹ）や各種電圧が入力され得るが、本実施形態では、データ線駆動回路２２０に入力される映像信号Ｖｉｄが少なくとも入力される。このため、端子１２１の数は、液晶パネル１０における画素２５０の数に応じた数となる。例えばＦＨＤ規格では、水平方向の有効画素数は１９２０個であるが、部分ドライバ方式（ハイブリッド方式とも称される。）ではデマルチプレクサによる分割数で除算した数となる。より具体的に述べれば、１：８のデマルチプレクサで構成されている場合、端子１２１の数は、１９２０を８で除算した数、即ち２４０個となる。
【００３１】
第２端子群１３０は、Ｙ方向において第１端子群１２０から離れた位置に設けられている。第２端子群１３０は、液晶パネル１０に形成され、Ｘ方向に配列する複数の端子１３１を含む。複数の端子１３１は、本実施形態では、同一形状、且つ同一寸法に形成され、端子が形成されている面の平面視で矩形である。第２端子群１３０における端子の配列ピッチは、第１端子群１２０のそれよりも大きい。本実施形態では、第２端子群１３０の複数の端子１３１は、液晶パネル１０の端子が形成されている面上で左右に位置する２つの
グループに分類（分割）され、各グループで端子１３１が等ピッチで配列する。具体的には、第２端子群１３０における端子１３１の配列ピッチは、図６に示すように「Ｗ２」（Ｗ２＞Ｗ１）である。例えば、配列ピッチＷ１は、およそ数十μｍであり、配列ピッチＷ２はおよそ数百μｍである。
なお、図示した端子の数はあくまで一例であり、更に多数存在してもよい。
【００３２】
複数の端子１３１には、各種制御信号（ＣｔｒＸ，ＣｔｒＹ）や各種電圧が入力され得るが、本実施形態では、走査線駆動回路２１０に入力される電源電位が供給される端子や、データ線駆動回路２２０に入力される電源電位が供給される端子のほか、端子１３１Ｔが含まれる。端子１３１Ｔは、液晶パネル１０の駆動用の信号が入力される端子であるとともに、液晶パネル１０を検査するための検査信号が入力される端子として兼用される。端子１３１Ｔは、前述したように比較的幅広に形成されているため、プローブカードにより検査信号を供給可能である。電気光学装置１の製品出荷前の段階では、端子１３１Ｔにプローブカードの針を接触させることにより、液晶パネル１０の電気的な検査（例えば電気的な抵抗値の測定）が行われ、不良品であるか否かが検査される。このように、端子１３１Ｔが検査端子としても兼用されることとしたので、液晶パネル１０には、検査専用の端子が別に設けられる必要がない。
【００３３】
第１端子群１２０は、第２端子群１３０よりも画素領域２００の近くに設けられている。更に、第１端子群１２０の複数の端子１２１のＸ方向における両側には、アライメントマーク１４０が形成されている。アライメントマーク１４０は、配線基板３０を液晶パネル１０に貼り付ける（圧着する）ときの配線基板３０の位置決めに利用される。この貼り付けの工程では、アライメントマーク１４０を撮像してこれを認識することにより、配線基板３０の貼り付け位置が決定される。アライメントマーク１４０は、第１端子群１２０に対応した位置に形成されている一方で、第２端子群１３０に対応した位置には形成されていない。このため、貼り付け工程では、第１端子群１２０の各端子１２１に電気的に接続するための配線基板３０の位置決めが、第２端子群１３０に対する位置決めよりも優先して行われる。よって、端子の配列ピッチが相対的に小さい第１端子群に対する配線基板３０の位置決めの精度を高くして、端子１２１と配線基板３０の配線３１１との電気的な接続を確実なものにすることができる。第２端子群１３０に対する配線基板３０の位置決め精度についても、端子１３１の配列ピッチが相対的に大きいが故に、配線基板３０の配線３１１との電気的な接続に不具合がない程度の精度は確保される。換言すると、第２端子群１３０における端子の配列ピッチは、電気的な接続の不具合がない程度に決定されるとよい。
なお、電気光学装置１において、第２端子群に対してアライメントマーク１４０の配置を禁止するわけではなく、補助的に配置されてもよい。
【００３４】
更に、配線基板３０のＦＰＣ３１には、液晶パネル１０に貼り付けられたときに第１端子群１２０と第２端子群との間に位置する領域に、切り欠き部３３が形成されている。切り欠き部３３は、本実施形態では、ＦＰＣ３１のＸ方向における端部から中心に向けて次第に幅が狭くなるように切り欠かれてなる。配線基板３０の貼り付け工程では、ＦＰＣ３１に形成された切り欠き部の位置を参照しながら、配線基板３０の位置合わせを行う。
【００３５】
切り欠き部３３の効果は主に３つある。
第１の効果は、液晶パネル１０への貼り付け時にＦＰＣ３１のＹ方向の伸縮の度合いを確認することができ、第１端子群と第２端子群を同時に貼り付ける際の精度を管理できるようにすることである。
第２の効果は、ＦＰＣ３１の配線と液晶パネル１０とで意図しない配線接触を回避することである。ＦＰＣ３１製造時における配線検査（配線間短絡検査等）のために、ＦＰＣ３１の配線には実装部以外の場所で検査用の接触部を設ける必要がある。そこで切り欠き
部３３に第２端子群に接続する配線への検査用の接触部を割り付けることが好ましい。検査用の接触部はＦＰＣ３１の配線検査後には不要である。液晶パネル１０に貼り付けた後に、液晶パネル１０上の配線とで意図しない電気的接触を生じ得るので、切り欠き部３３として切り落とすのがよい。
第３の効果は、ＦＰＣ３１の製造コストの抑制である。切り欠き部３３に第２端子群に接続する配線への検査用の接触部を割り付けることでＦＰＣの素材テープ幅を有効に使用することができ、製造コストを抑制することができる。
なお、切り欠き部３３を設ける場合の変形例として凹状の切り欠きではなく穴状の打ち抜き部としてもよい。
【００３６】
本実施形態では、第１端子群１２０及び第２端子群１３０の２つの端子群が液晶パネル１０に設けられているので、単一の端子群とした場合に比べて、液晶パネル１０に形成可能な端子の全体数が増加する。更に、端子群が実装される辺を、データ線駆動回路２２０と同じ辺の一つとしたので、端子数が増大しても、配線の取り回しが容易となる。
【００３７】
本発明は、上述した実施形態と異なる形態で実施することが可能である。また、以下に示す変形例は、各々を適宜に組み合わせてもよい。
図７に示すように、配線基板３０は、製造公差を吸収できるマージンを持ち、製造コスト等に問題ないなどの状況であれば、切り欠き部３３が形成されていないＦＰＣ３１Ａを備える構成であってもよい。ＦＰＣ３１Ａは、切り欠き部３３を有しない点を除き、ＦＰＣ３１と同じ構成でよい。
【００３８】
上述した実施形態では、端子の配列ピッチが相対的に小さい第１端子群１２０が、端子の配列ピッチが相対的に大きい第２端子群１３０よりも画素領域２００に近い位置に配置されていた。これに代えて、端子の配列ピッチが相対的に大きい第２端子群１３０が、端子の配列ピッチが相対的に小さい第１端子群１２０よりも画素領域２００に近い位置に設けられてもよい。この場合、アライメントマーク１４０は、第１端子群１２０に対応した位置に設けられる。
【００３９】
液晶パネル１０は、端子の配列ピッチが他の端子群とは異なる端子群を、３つ以上備えてもよい。３つ以上の端子群がある場合、アライメント作業を容易にすることを考慮すると、画素領域２００から近いほど端子の配列ピッチが小さい端子群、より具体的には最小の配列ピッチがより小さい端子群が形成されることが望ましい。画素領域側には対向基板端が存在しており、ＦＰＣ又はＣＯＦの貼り付け作業時には対向基板端との干渉を避けるために高精度の作業を必要とするからである。
更に、一の端子群において、全ての端子間のピッチが同一である必要はない。この場合、一の端子群における最大のピッチが、他の端子群における最小のピッチよりも小さい。
【００４０】
配線基板３０に代えて、集積回路３２が設けられていないＦＰＣ（つまりＦＰＣ３１のみ）が、液晶パネル１０に貼り付けられてもよい。この場合のＦＰＣ３１は、上位回路から供給された各種信号や各種電位を、配線３１１を介して液晶パネル１０に供給する配線基板である。
【００４１】
本発明の電気光学パネルは、透過型の液晶パネルでなくてもよく、例えば反射型の液晶パネルであってもよい。また、本発明の電気光学パネルは、電気光学動作を行えばよく、有機ＥＬ（Electro-Luminescence）パネル等の液晶以外の電気光学素子を用いたパネルであってもよい。
【００４２】
次に、上述した各実施形態に係る電気光学装置１を用いた電子機器の一例として、液晶パネル１０をライトバルブとして用いた投射型表示装置（プロジェクター）について説明
する。図８は、このプロジェクターの構成を示す平面図である。
図８に示すように、プロジェクター２１００の内部には、ハロゲンランプ等の白色光源からなるランプユニット２１０２が設けられている。このランプユニット２１０２から射出された投射光は、内部に配置された３枚のミラー２１０６及び２枚のダイクロイックミラー２１０８によってＲ色、Ｇ色、及びＢ色の３原色に分離されて、各原色に対応するライトバルブ１０Ｒ,１０Ｇ及び１０Ｂにそれぞれ導かれる。なお、Ｂ色の光は、他のＲ色やＧ色と比較すると、光路が長いので、その損失を防ぐために、入射レンズ２１２２、リレーレンズ２１２３及び出射レンズ２１２４からなるリレーレンズ系２１２１を介して導かれる。
【００４３】
このプロジェクター２１００では、液晶パネル１０を含む電気光学装置１が、Ｒ色、Ｇ色、及びＢ色のそれぞれに対応して３組設けられる。ライトバルブ１０Ｒ,１０Ｇ,及び１０Ｂの構成は、上述した液晶パネル１０と同様である。Ｒ色、Ｇ色、及びＢ色のそれぞれの原色成分の映像信号がそれぞれ外部上位回路から供給されて、ライトバルブ１０Ｒ,１０Ｇ及び１０がそれぞれ駆動される構成となっている。
ライトバルブ１０Ｒ,１０Ｇ,及び１０Ｂによってそれぞれ変調された光は、ダイクロイックプリズム２１１２に３方向から入射する。そして、このダイクロイックプリズム２１１２において、Ｒ色及びＢ色の光は９０度に屈折する一方、Ｇ色の光は直進する。したがって、各原色の画像が合成された後、スクリーン２１２０には、投射レンズ２１１４によってカラー画像が投射されることとなる。
【００４４】
なお、ライトバルブ１０Ｒ,１０Ｇ,及び１０Ｂには、ダイクロイックミラー２１０８によって、Ｒ色、Ｇ色、及びＢ色のそれぞれに対応する光が入射するので、カラーフィルターを設ける必要はない。また、ライトバルブ１０Ｒ及び１０Ｂの透過像は、ダイクロイックプリズム２１１２により反射した後に投射されるのに対し、ライトバルブ１０Ｇの透過像はそのまま投射されるので、ライトバルブ１０Ｒ及び１０Ｂによる水平走査方向は、ライトバルブ１０Ｇによる水平走査方向と逆向きにして、左右を反転させた像を表示する構成となっている。
【００４５】
電子機器としては、図８を参照して説明したプロジェクターの他にも、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、スマートフォン及びタブレット型端末その他のタッチパネルを備えた機器等が挙げられる。そして、これらの各種の電子機器に対して、電気光学装置１が適用可能である。
【符号の説明】
【００４６】
１…電気光学装置、１０…液晶パネル、１１０Ａ…素子基板、１１０Ｂ…対向基板、１２０…第１端子群、１３０…第２端子群、１２１，１３１…端子、１４０…アライメントマーク、３０…配線基板、３１，３１Ａ…ＦＰＣ、３１１…配線、３２…集積回路、３３…切り欠き部、２００…画素領域、２１０…走査線駆動回路、２２０…データ線駆動回路、２３０…走査線、２４０…データ線、２５０…画素、２１００…プロジェクター
【図１】
2017120299.tif 000003
【図２】
2017120299.tif 000004
【図３】
2017120299.tif 000005
【図４】
2017120299.tif 000006
【図５】
2017120299.tif 000007
【図６】
2017120299.tif 000008
【図７】
2017120299.tif 000009
【図８】
2017120299.tif 000010